(57)【要約】      （修正有）【課題】電撃殺虫装置を振り下ろし電撃を加える際に、虫を取り逃がさないようにする、ラケット型電撃殺虫装置を提供する。【解決手段】ラケット型電撃殺虫装置１は、略円形形状又は略楕円形形状を備えた、非導電材により構成された枠体６と、枠体の厚さ方向寸法内に収まるように配置された略平面状の網目部材であって、枠体の厚さ方向に沿って一方側に位置する表電極及び他方側に位置する裏電極を備え、接触した虫５に電気ショックを与える導電性の第１ネット部材２と、第１ネット部材に所定レベルの電圧を印加する電気回路と、表電極を覆うように設けられた、捕獲誘導用の第２ネット部材３と、を有し、第２ネット部材は、表電極から遠ざかる方向に縮径する略部分円錐形状を備えている。【選択図】図１
0003234102.tif 000002
【実用新案登録請求の範囲】
【請求項１】
略円形形状又は略楕円形形状を備えた、非導電材により構成された枠体と、
前記枠体の厚さ方向寸法内に収まるように配置された略平面状の網目部材であって、前記枠体の前記厚さ方向に沿って一方側に位置する第１面及び他方側に位置する第２面を備え、接触した虫に電気ショックを与える導電性の第１ネット部材と、
前記第１ネット部材に所定レベルの電圧を印加する電気回路と、
前記第１面を覆うように設けられた、捕獲誘導用の第２ネット部材と、
を有し、
前記第２ネット部材は、
前記第１面から遠ざかる方向に縮径する略部分円錐形状を備えている、
ことを特徴とするラケット型電撃殺虫装置。
【請求項２】
請求項１記載のラケット型電撃殺虫装置において、
前記第２ネット部材は、
前記第１ネット部材の前記第１面と略平行となる、前記一方側の端面を備える
ことを特徴とするラケット型電撃殺虫装置。
【請求項３】
請求項２記載のラケット型電撃殺虫装置において、
前記第２ネット部材は、
略等脚台形状の側面視形状を備える
ことを特徴とするラケット型電撃殺虫装置。
【請求項４】
請求項１記載のラケット型電撃殺虫装置において、
前記第２ネット部材は、
前記第１ネット部材の前記第１面と非平行となる、前記一方側の端面を備える
ことを特徴とするラケット型電撃殺虫装置。
【請求項５】
請求項４記載のラケット型電撃殺虫装置において、
前記枠体に接続され、非導電材により構成された把持部と、
前記第２ネット部材の前記把持部側の第１部位は、前記厚さ方向に沿った第１寸法を有しており、
前記第２ネット部材の前記把持部側と反対側の第２部位は、前記第１寸法よりも大きな、前記厚さ方向に沿った第２寸法を有している
ことを特徴とするラケット型電撃殺虫装置。
【考案の詳細な説明】
【技術分野】
【０００１】
本考案は、飛翔中の蚊、蠅等の虫を効果的に捕獲し、電撃により駆除するラケット型電撃殺虫装置に関する。
【背景技術】
【０００２】
従来、蚊、蠅等の虫を駆除する装置として、蚊取り線香、殺虫剤スプレー、蠅叩き等があるが、さらに効果的な装置として、ラケット型電撃殺虫装置が知られている（例えば、特許文献１参照）。この従来技術のラケット型電撃殺虫装置は、２枚の外面ネット及び内面ネットをネット枠で挟んで構成されており、装置を手に持って虫目掛けて振り下ろすことにより、電撃により虫を駆除する。
【先行技術文献】
【特許文献】
【０００３】
【特許文献１】特開２００２−２８１８８２号公報（図１等）
【考案の概要】
【考案が解決しようとする課題】
【０００４】
上記従来技術のラケット型電撃殺虫装置は、空中に飛翔又は浮遊している処理対象の虫に対して殺虫装置を振り下ろし電撃を加える際に、振り下ろされる部材の動きや微妙な風圧を察知した虫が、ネットに触れる直前にそのネットの前方側空間から離脱することで、虫を取り逃がす可能性があった。
【０００５】
本考案の目的は、振り下ろして電撃を加える際に、虫を取り逃がさないようにすることができるラケット型電撃殺虫装置を提供することにある。
【課題を解決するための手段】
【０００６】
上記目的を達成するために、本願考案は、略円形形状又は略楕円形形状を備えた、非導電材により構成された枠体と、前記枠体の厚さ方向寸法内に収まるように配置された略平面状の網目部材であって、前記枠体の前記厚さ方向に沿って一方側に位置する第１面及び他方側に位置する第２面を備え、接触した虫に電気ショックを与える導電性の第１ネット部材と、前記第１ネット部材に所定レベルの電圧を印加する電気回路と、前記第１面を覆うように設けられた、捕獲誘導用の第２ネット部材と、を有し、前記第２ネット部材は、前記第１面から遠ざかる方向に縮径する略部分円錐形状を備えていることを特徴としている。
【０００７】
本願考案においては、空中に飛翔又は浮遊している処理対象の虫に対して殺虫装置を振り下ろし電撃を加えるとき、振り下ろされる第１ネット部材の前方側に第２ネット部材が設けられている。これにより、振り下ろされる第１ネット部材の動きや微妙な風圧を察知した虫が、第１ネット部材の第１面に触れる直前にその第１ネット部材の前方側空間から離脱しようとしても、当該前方側空間を包囲する第２ネット部材により阻まれるので、離脱できずに第１ネット部材に触れて殺虫される。なお、第２ネット部材が設けられない第２面側は、例えば床面や地面に存在する虫を処理対象とするときに使用することができる。
【０００８】
本願考案では、第１ネット部材、及び、第２ネット部材の第１面側の端面、の外径形状を画定する枠体が略円形形状又は略楕円形形状となっている。ここで、仮にそれらが四角形状（例えば正方形状）であったとすると、振り下ろしたときの虫の位置が四角のコーナー部以外であった場合には、ユーザが第１ネット部材内に虫を捕獲したつもりでも実際は取り逃がしてしまう等があり得る。すなわち、ユーザ感覚と実際の捕獲成否との間にずれが生じる可能性がある。本願考案によれば、第１ネット部材及び第２ネット部材の第１面側の端面の外径形状が略円形形状又は略楕円形形状であることにより、上記のずれが生じにくいので、うっかり虫を第１ネット部材外へ取り逃がしてしまうのを防止できる。
【０００９】
また、本願考案では、第２ネット部材が、上記の前方側ほど縮径する略部分円錐形状となっている。ここで、仮に第２ネット部材が前方側へ等径にて延びる略円筒形状であったとすると、振り下ろしたときの虫の位置が当該円筒形状の前端近傍の内周部であった場合には、その内周部により衝突された虫が、衝突の反動で第１ネット部材側ではなく第２ネット部材内の空間から逸脱する方向へ跳ね返され、取り逃がしてしまう恐れがある。本願考案によれば、第２ネット部材が縮径する形状であることにより、上記のように振り下ろしたときの虫の位置が第２ネット部材の前端近傍の内周部であったときも、その内周部により衝突された虫は衝突の反動で第２ネット部材内の空間へ向かって斜めに跳ね返され、確実に第１ネット部材側へと導いて殺虫することができる。
【考案の効果】
【００１０】
本願考案によれば、電撃殺虫装置を振り下ろし電撃を加える際に、虫を取り逃がさないようにすることができる。
【図面の簡単な説明】
【００１１】
【図１】本考案の一実施形態に係るラケット型電撃殺虫装置を斜め方向から見た斜視図である。
【図２】図１に示したラケット型電撃殺虫装置のホルダに保持した状態の正面図及び側面図である。
【図３】図１中Ａ−Ａ’断面による断面図である。
【図４】枠体の略円形形状（又は略楕形形状）による作用効果を表す説明図である。
【図５】第２ネット部材の形状による効果を説明する概念図である。
【図６】第２ネット部材の厚さ方向寸法に大小をつける変形例による、ラケット型電撃殺虫装置を表す側面図である。
【考案を実施するための形態】
【００１２】
以下、本考案の一実施形態を図面を参照して説明する。
【００１３】
図１及び図２に示すように、本考案の一実施形態に係るラケット型電撃殺虫装置１は、略円形形状又は略楕円形形状を備えた非導電材により構成され、いわゆるラケットのフレーム部分に相当する枠体６と、枠体６内に位置していわゆるラケットのガット部分に相当する第１ネット部材２と、捕獲誘導用の第２ネット部材３と、を有している。
【００１４】
ラケット型電撃殺虫装置１はまた、枠体６に接続されユーザが把持可能な、非導電材により構成された把持部４を有している。把持部４の内部には、第１ネット部材２に所定レベルの電圧を印加する電気回路（図示省略）と、電源（図示せず）とが設けられている。また把持部４には、上記電気回路を通電するための電源スイッチ７と、指で押している間のみ電気ショックを与える動作が可能な、押しボタン式のスイッチ８と、適宜の紐やストラップ等の挿通穴を与える突起９と、が設けられている。
【００１５】
ラケット型電撃殺虫装置１は、図２（ａ）及び図２（ｂ）に示すように、把持部４をホルダ１９に挿入することで把持部４の長手方向を略鉛直方向にした姿勢で立てておくことができる。突起９は、そのホルダ１９の挿入時に邪魔にならないように、把持部４のうちそれらスイッチ７，８とは反対側に設けられている。なお、ホルダ等への挿入等を考慮しなくてもよい場合は、突起９を把持部４の基端（図２における下端）に設けてもよい。
【００１６】
第１ネット部材２は、接触した虫に電気ショックを与える導電性の公知の構造を有しており、この例では、図３に示すように、枠体６の厚さ方向寸法内に収まるように配置された略平面状の網目部材となっている。詳細には、第１ネット部材２は、前述の枠体６の形状に対応した略円形形状又は略楕円形形状をそれぞれ備えた、表電極１１と、裏電極１３と、中央電極１２と、を備えている。なお、表電極１１が、枠体６の厚さ方向に沿って一方側（図１中の矢印に示す振り下ろすときの前方側。図１中の右下方側）に位置する第１ネット部材２の第１面に相当している。裏電極１３が、枠体６の厚さ方向に沿って他方側（振り下ろすときの後方側。図１中の左上方側）に位置する第１ネット部材２の第２面に相当している。
【００１７】
表電極１１及び裏電極１３は、通電している場合にユーザが手で接触しても感電することが無いように、同一の極性を備えた網状の電極となっている。中央電極１２は、表電極１１及び裏電極１３とは異なる極性を備えた網状の電極となっている。表電極１１と中央電極１２との間には絶縁性のスペーサー１４が設けられており、裏電極１３と中央電極１２との間には絶縁性のスペーサー１５が設けられている。
これらの電極構成により、第１ネット部材２の内部に侵入した虫は、表電極１１及び裏電極１３の両方に接触することにより感電して殺虫されることになる。これに対して、表電極１１及び裏電極１３は互いに同一電位であるため、ユーザが誤って手を接触させても感電することはない。
【００１８】
第２ネット部材３は、第１ネット部材２の表電極１１を覆うように設けられており、表電極１１から遠ざかる方向に縮径する略部分円錐形状を備えている。特にこの例では、図２（ｂ）に示すように、第２ネット部材３は、第１ネット部材２の上記表電極１１と略平行となる前端面３ａ（一方側の端面に相当）を備えており、側面視における形状が略等脚台形状となっている。なお、図２（ｂ）中に示す、第２ネット部材３の側面と図示左右方向（言い換えれば把持部４の長さ方向と直交する方向）とのなす角度θは、例えば３°〜５°であり、第２ネット部材３の上記図示左右方向（言い換えれば把持部４の長さ方向と直交する方向）における高さ（厚さ方向寸法）Ｈは、例えば約５ｃｍである。
【００１９】
＜実施形態の効果＞
以上説明したように、本実施形態のラケット型電撃殺虫装置１においては、空中に飛翔又は浮遊している処理対象の虫５に対して殺虫装置１を振り下ろし電撃を加えるとき、振り下ろされる第１ネット部材２の前方側に第２ネット部材３が設けられている。これにより、振り下ろされる第１ネット部材２の動きや微妙な風圧を察知した虫５が、第１ネット部材２の（振り下ろす前方側に位置する）表電極１１に触れる直前にその第１ネット部材２の前方側空間から離脱しようとしても、当該前方側空間を包囲する第２ネット部材３により阻まれるので、離脱できずに第１ネット部材２に触れて殺虫される。なお、第２ネット部材３が設けられない（上記前方側とは逆の後方側に位置する）裏電極１３側は、例えば床面や壁面に存在する虫（飛翔せず歩き回る虫等）を処理対象とするときに使用することができる。
【００２０】
また、本実施形態のラケット型電撃殺虫装置１では、第１ネット部材２、及び、第２ネット部材３の表電極１１側の端面、の外径形状を画定する枠体６が略円形形状又は略楕円形形状となっている。ここで、仮にそれらが四角形状（例えば正方形状）であったとすると、図４（ａ）及び図４（ｂ）に概念的に対比して示すように、振り下ろしたときの虫５の位置が四角形状ＳＱのコーナー部以外であった場合には、ユーザが第１ネット部材２の略円形形状又は略楕円形形状（この例では略円形形状ＣＩ）内に虫５を捕獲したつもりでも実際は取り逃がしてしまう等があり得る（図示する虫５′参照）。すなわち、ユーザ感覚と実際の捕獲成否との間にずれが生じる可能性がある。本願考案によれば、第１ネット部材及び第２ネット部材の第１面側の端面の外径形状が略円形形状又は略楕円形形状であることにより、上記のずれが生じにくいので、うっかり虫を第１ネット部材外へ取り逃がしてしまうのを防止できる。
【００２１】
また、本実施形態のラケット型電撃殺虫装置１では、第２ネット部材３が、上記の前方側ほど縮径する略部分円錐形状となっている。
ここで、図５（ａ）に示すように、仮に第２ネット部材３が前方側へ等径にて延びる略円筒形状であったとすると、振り下ろしたときの虫５の位置が当該円筒形状の前端近傍の内周部であった場合には、図５（ｂ）に示すように、その内周部により衝突された虫５が、衝突の反動で第１ネット部材２側ではなく第２ネット部材３内の空間から逸脱する方向へ跳ね返され、取り逃がしてしまう恐れがある。
本実施形態のラケット型電撃殺虫装置１では、第２ネット部材３が縮径する形状であることにより、図５（ｃ）に示すように、上記のように振り下ろしたときの虫５の位置が、第２ネット部材３の前端近傍の内周部であったときも、図５（ｄ）に示すようにその内周部により衝突された虫５が衝突の反動で第２ネット部材３内の空間へ向かって斜めに跳ね返され、確実に第１ネット部材２側へと導いて殺虫することができる。
【００２２】
また、本実施形態では特に、第２ネット部材３は、第１ネット部材２の表電極１１と略平行となる前端面３ａを備える。これにより、略部分円錐形状の第２ネット部材３の前端面３ａを第１ネット部材２の表電極１１と略平行に構成することで、第２ネット部材３を（特別な加工の必要なく）容易に製造することができる。なお、この効果は、上記のように第２ネット部材３が略等脚台形状の側面視形状を備えていなくても、前端面３ａと表電極１１とが略平行であれば得られるものである。
【００２３】
また、本実施形態では特に、第２ネット部材３は、略等脚台形状の側面視形状を備えている。これにより、第２ネット部材３を、中心軸線まわりに線対称な断面を有する部分直円錐として構成できるので、第２ネット部材３をさらに容易に製造することができる。
【００２４】
なお、本考案は、上記実施形態に限られるものではなく、その趣旨及び技術的思想を逸脱しない範囲内で種々の変形が可能である。以下、そのような変形例を順を追って説明する。
【００２５】
（１）第２ネット部材の厚さ方向寸法に大小をつける場合
本変形例によるラケット型電撃殺虫装置１の側面図を図６に示す。本変形例では、第２ネット部材３の前端面３ａ（一方側の端面に相当）が、第１ネット部材２の上記表電極１１と非平行となっている。特にこの例では、第２ネット部材３の把持部４側の部位３ｂ（第１部位に相当）は、第２ネット部材３の厚さ方向に沿って寸法Ｈ１（第１寸法に相当）を有しており、把持部４側と反対側の部位３ｃ（第２部位に相当）は、寸法Ｈ１よりも大きな寸法Ｈ２（第２寸法に相当）を有している。
【００２６】
本変形例においても、上記実施形態と同様の効果を得る。
【００２７】
また、本変形例においては特に、第２ネット部材３の前端面３ａが第１ネット部材２の上記表電極１１と非平行である。これにより、第２ネット部材３の形状を、例えばユーザによる振り下ろし特性や殺虫用途等に応じて、最適化することが可能となる。例えば右きき用、左きき用で非平行な形状で最適化すること等が考えられる。なおこの効果は、上記のように寸法Ｈ２が寸法Ｈ１よりも大きい形状でなくても、前端面３ａと表電極１１とが非平行であれば得られるものである。
【００２８】
また、本変形例においては特に、ユーザが把持部４を持って電撃殺虫装置１を円弧状に振り回すとき、第２ネット部材３は、上記円弧の外周側における寸法Ｈ２が、円弧の内周側における寸法Ｈ１よりも大きい形状となる。これにより、円弧の外周側と円弧の内周側とを同一寸法とする場合に比べ、（外周側の寸法が大きい分）第２ネット部材３における虫５の捕獲率、言い換えれば殺虫率を向上することができる。
【００２９】
（２）その他
また、以上既に述べた以外にも、上記実施形態や各変形例による手法を適宜組み合わせて利用しても良い。
【００３０】
その他、一々例示はしないが、本考案は、その趣旨を逸脱しない範囲内において、種々の変更が加えられて実施されるものである。
【符号の説明】
【００３１】
１                ラケット型電撃殺虫装置
２                第１ネット部材
３                第２ネット部材
３ａ              前端面（一方側の端面に相当）
３ｂ              把持部側の部位（第１部位に相当）
３ｃ              把持部側と反対側の部位（第２部位に相当）
４                把持部
５，５′          虫
６                枠体
１１                表電極（第１面に相当）
１３                裏電極（第２面に相当）
【図１】
0003234102.tif 000003
【図２】
0003234102.tif 000004
【図３】
0003234102.tif 000005
【図４】
0003234102.tif 000006
【図５】
0003234102.tif 000007
【図６】
0003234102.tif 000008